(57)【要約】【課題】給湯システムにおいて、使用者の意図と異なる不都合が生じる事態の発生を抑制することができる技術を提供する。【解決手段】給湯システムは、給湯装置と、端末装置と、制御手段を備える。給湯装置は、給湯手段と、浴室内操作入力部を備える。端末装置は、給湯の設定に関係する設定関係情報を給湯装置に対して送信し、浴室内操作入力部は、動作状態を、操作を入力可能な操作可能状態と操作を入力不可能な操作不可能状態との間で切り替え可能であり、制御手段は、端末装置によって送信された設定関係情報を受信し、設定関係情報が受信される際における浴室内操作入力部の動作状態が操作可能状態である場合には、設定関係情報に関係する設定を給湯手段に反映させるための遠隔設定処理を実行せず、設定関係情報が受信される際における浴室内操作入力部の動作状態が操作不可能状態である場合には、遠隔設定処理を実行する。【選択図】図１
2020106173.tif 000002
【特許請求の範囲】
【請求項１】
建物に設置され、前記建物内に湯を供給するための給湯装置と、
端末装置と、
制御手段と、
を備え、
前記給湯装置は、
少なくとも前記建物内の浴室のうち、浴槽と、前記浴槽以外の給湯箇所とに湯を供給するための給湯手段と、
前記浴室内に設けられ、前記浴室内の使用者が前記給湯手段に関する操作を入力するための浴室内操作入力部と、
を備え、
前記端末装置は、前記給湯手段による給湯の設定に関係する設定関係情報を前記給湯装置に対して送信し、
前記浴室内操作入力部は、動作状態を、前記操作を入力可能な操作可能状態と前記操作を入力不可能な操作不可能状態との間で切り替え可能であり、
前記制御手段は、
前記端末装置によって送信された前記設定関係情報を受信し、
前記設定関係情報が受信される際における前記浴室内操作入力部の動作状態が前記操作可能状態である場合には、前記設定関係情報に関係する設定を前記給湯手段に反映させるための遠隔設定処理を実行せず、
前記設定関係情報が受信される際における前記浴室内操作入力部の動作状態が前記操作不可能状態である場合には、前記遠隔設定処理を実行する、
給湯システム。
【請求項２】
前記設定関係情報は、前記浴槽に供給される湯の設定温度と、前記給湯箇所に供給される湯の設定温度と、の少なくとも一方を含む、請求項１に記載の給湯システム。
【請求項３】
前記給湯手段は、前記浴槽内の湯を加熱する追い焚き運転を実行可能であり、
前記設定関係情報は、前記追い焚き運転を開始するための追い焚き開始指示を含む、請求項１又は２に記載の給湯システム。
【請求項４】
前記制御手段は、前記端末装置及び前記給湯装置と通信可能なサーバを備えており、
前記サーバは、
前記遠隔設定処理として、前記設定関係情報を前記給湯装置に送信する設定関係情報送信処理を実行可能であり、
前記設定関係情報が受信される際における前記浴室内操作入力部の動作状態が前記操作可能状態である場合には、前記設定関係情報送信処理を実行せず、その後に前記浴室内操作入力部の動作状態が前記操作不可能状態に移行する場合に前記設定関係情報送信処理を実行し、
前記設定関係情報が受信される際における前記浴室内操作入力部の動作状態が前記操作不可能状態である場合には、前記設定関係情報送信処理を実行し、
前記給湯装置は、前記サーバから前記設定関係情報を受信すると、前記設定関係情報に関係する設定を前記給湯手段に反映する、請求項１から３のいずれか一項に記載の給湯システム。
【請求項５】
前記制御手段は、前記建物内のうち前記浴室外に設けられるとともに、前記端末装置及び前記給湯装置と通信可能な浴室外機器を備えており、
前記浴室外機器は、
前記遠隔設定処理として、前記設定関係情報を前記給湯装置に送信する設定関係情報送信処理を実行可能であり、
前記設定関係情報が受信される際における前記浴室内操作入力部の動作状態が前記操作可能状態である場合には、前記設定関係情報送信処理を実行せず、その後に前記浴室内操作入力部の動作状態が前記操作不可能状態に移行する場合に前記設定関係情報送信処理を実行し、
前記設定関係情報が受信される際における前記浴室内操作入力部の動作状態が前記操作不可能状態である場合には、前記設定関係情報送信処理を実行し、
前記給湯装置は、前記浴室外機器から前記設定関係情報を受信すると、前記設定関係情報に関係する設定を前記給湯手段に反映する、請求項１から３のいずれか一項に記載の給湯システム。
【請求項６】
前記給湯装置は、前記端末装置と通信可能な前記制御手段を備えており、
前記制御手段は、
前記設定関係情報が受信される際における前記浴室内操作入力部の動作状態が前記操作可能状態である場合には、前記遠隔設定処理を実行せず、その後に前記浴室内操作入力部の動作状態が前記操作不可能状態に移行する場合に前記遠隔設定処理を実行する、請求項１から３のいずれか一項に記載の給湯システム。
【請求項７】
前記端末装置は、音声によって指示を入力可能な音声入力装置を含む、請求項１から６のいずれか一項に記載の給湯システム。
【請求項８】
前記端末装置は、前記設定関係情報の送信後に、前記制御部が前記遠隔設定処理を実行する場合に、前記遠隔設定処理が実行されることに関係する実行報知動作を行う、請求項１から７のいずれか一項に記載の給湯システム。
【請求項９】
前記端末装置は、前記設定関係情報の送信後に、前記制御部が前記遠隔設定処理を実行しない場合に、前記遠隔設定処理が実行されないことに関係する保留報知動作を行う、請求項１から８のいずれか一項に記載の給湯システム。
【発明の詳細な説明】
【技術分野】
【０００１】
本明細書に開示の技術は、給湯システムに関する。
【背景技術】
【０００２】
特許文献１には、建物に設置され、建物内に湯を供給するための給湯装置と、端末装置とを備える給湯システムが開示されている。給湯装置は、制御部と、建物内の浴室のうち、浴槽と、浴槽以外の給湯箇所とに湯を供給するための給湯手段と、室内に設けられ、浴室内の使用者が給湯手段に関する操作を入力するための浴室内操作入力部とを備える。浴室内操作入力部は、使用者の操作によって、浴室優先モードが設定されている状態と浴室優先モードが解除されている状態との間で切り替え可能である。端末装置も、給湯手段に関する遠隔操作指示を給湯装置に対して送信可能である。
【０００３】
浴室優先モードが設定されている状態では、給湯装置は、浴室内操作入力部における給湯手段に関する操作の入力のみを許可し、端末装置を含む浴室外機器からの操作の入力（いわゆる遠隔操作）を許可しない。浴室優先モードが解除されている状態では、給湯装置は、浴室内操作入力部における操作の入力と、端末装置を含む浴室外機器からの操作の入力と、の双方を許可する。
【先行技術文献】
【特許文献】
【０００４】
【特許文献１】特開２０１６−８７２３号公報
【発明の概要】
【発明が解決しようとする課題】
【０００５】
特許文献１の給湯システムでは、浴室内の使用者（例えば入浴者）が、浴室内操作入力部を操作して、浴室優先モードの設定又は解除を行う必要がある。そのため、浴室内の使用者が浴室優先モードの設定を忘れた場合（即ち浴室優先モード解除中の場合）、端末装置からの遠隔操作を受け付けることで、例えば、入浴中に給湯温度が急に変化する等、浴室内の使用者が意図しない不都合が生じるおそれがある。
【０００６】
本明細書では、給湯システムにおいて、使用者の意図と異なる不都合が生じる事態の発生を抑制することができる技術を提供する。
【課題を解決するための手段】
【０００７】
本明細書が開示する給湯システムは、建物に設置され、前記建物内に湯を供給するための給湯装置と、端末装置と、制御手段と、を備え、前記給湯装置は、少なくとも前記建物内の浴室のうち、浴槽と、前記浴槽以外の給湯箇所とに湯を供給するための給湯手段と、前記浴室内に設けられ、前記浴室内の使用者が前記給湯手段に関する操作を入力するための浴室内操作入力部と、を備え、前記端末装置は、前記給湯手段による給湯の設定に関係する設定関係情報を前記給湯装置に対して送信し、前記浴室内操作入力部は、動作状態を、前記操作を入力可能な操作可能状態と前記操作を入力不可能な操作不可能状態との間で切り替え可能であり、前記制御手段は、前記端末装置によって送信された前記設定関係情報を受信し、前記設定関係情報が受信される際における前記浴室内操作入力部の動作状態が前記操作可能状態である場合には、前記設定関係情報に関係する設定を前記給湯手段に反映させるための遠隔設定処理を実行せず、前記設定関係情報が受信される際における前記浴室内操作入力部の動作状態が前記操作不可能状態である場合には、前記遠隔設定処理を実行する。
【０００８】
浴室内操作入力部の動作状態が操作可能状態である場合は、浴室内に使用者がいる（即ち入浴者がいる）可能性が高い。上記の構成によると、制御手段は、設定関係情報が受信される際における浴室内操作入力部の動作状態が操作可能状態である場合には、設定関係情報に関係する設定を給湯手段に反映させるための遠隔設定処理を実行しない。そのため、浴室内の使用者が意図しないタイミングで遠隔設定処理が実行される事態が生じることを抑制することができる。その結果、浴室内の使用者の入浴中に給湯温度が急に変化する等、浴室内の使用者が意図しない不都合が生じるおそれを抑制することができる。一方、浴室内操作入力部の動作状態が操作不可能状態である場合は、浴室内に使用者がいる（即ち入浴者がいる）可能性は低い。上記の構成によると、制御手段は、設定関係情報が受信される際における浴室内操作入力部の動作状態が操作不可能状態である場合には、遠隔設定処理を実行する。即ち、浴室内に使用者がいる可能性が低い場合には、端末装置を用いて給湯手段に設定を反映させる。従って、上記の構成によると、給湯システムにおいて、使用者の意図と異なる不都合が生じる事態の発生を抑制することができる。ここで、「操作可能状態」は、例えば、浴室内操作入力部の電源スイッチがオンされている状態（即ち、通電しており、操作を受け付け可能な状態）を含み、「操作不可能状態」は、例えば、浴室内操作入力部の電源スイッチがオフされている状態（即ち、通電しているが操作を受け付け不可能な状態）を含む。
【０００９】
前記設定関係情報は、前記浴槽に供給される湯の温度を設定するための湯張り温度設定指示と、前記給湯箇所に供給される湯の温度を設定するための給湯温度設定指示と、の少なくとも一方を含んでもよい。
【００１０】
この構成によると、浴室内の使用者（即ち入浴者）の意図に反して浴槽内の湯の温度が変更される、給湯箇所（例えばシャワー等）から出る湯の温度が変更される、等の不都合が生じることを適切に抑制することができる。
【００１１】
前記給湯手段は、前記浴槽内の湯を加熱する追い焚き運転を実行可能であってもよい。前記設定関係情報は、前記追い焚き運転を開始するための追い焚き開始指示を含んでもよい。
【００１２】
この構成によると、浴室内の使用者（即ち入浴者）の意図に反して浴槽内の湯の温度が加熱される不都合が生じることを適切に抑制することができる。
【００１３】
前記制御手段は、前記端末装置及び前記給湯装置と通信可能なサーバを備えてもよい。前記サーバは、前記遠隔設定処理として、前記設定関係情報を前記給湯装置に送信する設定関係情報送信処理を実行可能であり、前記設定関係情報が受信される際における前記浴室内操作入力部の動作状態が前記操作可能状態である場合には、前記設定関係情報送信処理を実行せず、その後に前記浴室内操作入力部の動作状態が前記操作不可能状態に移行する場合に前記設定関係情報送信処理を実行し、前記設定関係情報が受信される際における前記浴室内操作入力部の動作状態が前記操作不可能状態である場合には、前記設定関係情報送信処理を実行してもよい。前記給湯装置は、前記サーバから前記設定関係情報を受信すると、前記設定関係情報に関係する設定を前記給湯手段に反映してもよい。
【００１４】
この構成によると、サーバは、設定関係情報が受信される際に浴室内操作入力部の動作状態が操作可能状態である場合には設定関係情報送信処理を実行しないが、その後に浴室内操作入力部の動作状態が操作不可能状態に移行する場合に設定関係情報送信処理を実行することができる。そのため、端末装置の使用者は、設定関係情報を送信した際に浴室内操作入力部の動作状態が操作可能状態であったとしても、同様の設定を反映するために同じ設定関係情報を再送信するための指示を入力する必要がない。端末装置の使用者の操作の手間を低減させることができる。
【００１５】
前記制御手段は、前記建物内のうち前記浴室外に設けられるとともに、前記端末装置及び前記給湯装置と通信可能な浴室外機器を備えてもよい。前記浴室外機器は、前記遠隔設定処理として、前記設定関係情報を前記給湯装置に送信する設定関係情報送信処理を実行可能であり、前記設定関係情報が受信される際における前記浴室内操作入力部の動作状態が前記操作可能状態である場合には、前記設定関係情報送信処理を実行せず、その後に前記浴室内操作入力部の動作状態が前記操作不可能状態に移行する場合に前記設定関係情報送信処理を実行し、前記設定関係情報が受信される際における前記浴室内操作入力部の動作状態が前記操作不可能状態である場合には、前記設定関係情報送信処理を実行してもよい。前記給湯装置は、前記浴室外機器から前記設定関係情報を受信すると、前記設定関係情報に関係する設定を前記給湯手段に反映してもよい。
【００１６】
この構成によると、浴室外機器は、設定関係情報が受信される際に浴室内操作入力部の動作状態が操作可能状態である場合には設定関係情報送信処理を実行しないが、その後に浴室内操作入力部の動作状態が操作不可能状態に移行する場合に設定関係情報送信処理を実行することができる。そのため、端末装置の使用者は、設定関係情報を送信した際に浴室内操作入力部の動作状態が操作可能状態であったとしても、同様の設定を反映するために同じ設定関係情報を再送信するための指示を入力する必要がない。端末装置の使用者の操作の手間を低減させることができる。
【００１７】
前記給湯装置は、前記端末装置と通信可能な前記制御手段を備えてもよい。前記制御手段は、前記設定関係情報が受信される際における前記浴室内操作入力部の動作状態が前記操作可能状態である場合には、前記遠隔設定処理を実行せず、その後に前記浴室内操作入力部の動作状態が前記操作不可能状態に移行する場合に前記遠隔設定処理を実行してもよい。
【００１８】
この構成によると、浴室内操作入力部は、設定関係情報が受信される際に浴室内操作入力部の動作状態が操作可能状態である場合には遠隔設定処理を実行しないが、その後に浴室内操作入力部の動作状態が操作不可能状態に移行する場合に遠隔設定処理を実行することができる。そのため、端末装置の使用者は、設定関係情報を送信した際に浴室内操作入力部の動作状態が操作可能状態であったとしても、同様の設定を反映するために同じ設定関係情報を再送信するための指示を入力する必要がない。端末装置の使用者の操作の手間を低減させることができる。
【００１９】
端末装置は、音声によって指示を入力可能な音声入力装置を含んでもよい。
【００２０】
この構成によると、使用者は、端末装置を手で操作することなく、音声によって設定関係情報を送信するための指示を入力することができる。使用者にとって高い利便性を実現することができる。
【００２１】
前記端末装置は、前記設定関係情報の送信後に、前記制御部が前記遠隔設定処理を実行する場合に、前記遠隔設定処理が実行されることに関係する実行報知動作を行ってもよい。
【００２２】
この構成によると、端末装置の使用者は、自身が建物内にいない場合であっても、設定関係情報に関係する設定が給湯手段に反映されることを知ることができる。
【００２３】
前記端末装置は、前記設定関係情報の送信後に、前記制御部が前記遠隔設定処理を実行しない場合に、前記遠隔設定処理が実行されないことに関係する保留報知動作を行ってもよい。
【００２４】
この構成によると、端末装置の使用者は、自身が建物内にいない場合であっても、設定関係情報に関係する設定が給湯手段にまだ反映されていないことを知ることができる。
【図面の簡単な説明】
【００２５】
【図１】第１実施例の給湯システム２の概要を示す図。
【図２】給湯装置５の構成を示すブロック図。
【図３】サーバ５０の構成を示すブロック図。
【図４】通信端末７０の構成を示すブロック図。
【図５】音声入力装置９０の構成を示すブロック図。
【図６】第１実施例のサーバ５０の制御部５４が実行する中継処理を示すフローチャート。
【図７】第１実施例の浴室内操作入力部１０の制御部２０が実行する設定制御処理を示すフローチャート。
【図８】第２実施例の給湯システム２０２の概要を示す図。
【図９】台所リモコン２５０の構成を示すブロック図。
【図１０】第３実施例の給湯システム３０２の概要を示す図。
【図１１】第３実施例の浴室内操作入力部１０の制御部２０が実行する設定制御処理を示すフローチャート。
【発明を実施するための形態】
【００２６】
（第１実施例）
（給湯システム２の構成；図１）
図１に示すように、本実施例の給湯システム２は、建物４に設置され、建物４内の給湯箇所（例えば、浴室６内の浴槽８及びその他の給湯箇所９）に湯を供給するためのシステムである。給湯システム２は、給湯装置５と、台所リモコン１５０と、サーバ５０と、通信端末７０と、音声入力装置９０とを備える。
【００２７】
（給湯装置５の構成；図１、図２）
給湯装置５は、浴室６内の浴槽８及び給湯箇所９（例えばシャワー、カラン）を含む建物４内の各種給湯箇所に湯を供給するための装置である。本実施例では、給湯装置５は、浴室６内に設けられている浴室内操作入力部１０と、浴室６外に設けられている給湯手段３０と、を備えている。変形例では、給湯手段３０は建物４の外に設けられていてもよい。
【００２８】
図１に示される浴室内操作入力部１０は、浴室６内の使用者（即ち入浴者）が、給湯手段３０に関する各種操作（例えば、浴槽８に供給する湯の温度（いわゆる湯張り温度）の設定、給湯箇所９に供給する湯の温度（いわゆる給湯温度）の設定、浴槽８内の湯の加熱のための追い焚き指示等）を入力するための入力部である。図２に示すように、浴室内操作入力部１０は、操作部１２と、表示部１４と、無線インターフェース１６と、有線インターフェース１８と、制御部２０と、メモリ２２と、を備える。以下では、インターフェースのことを「Ｉ／Ｆ」と表記する。
【００２９】
操作部１２は、電源スイッチ１３を含む複数個のボタンを備える。浴室６内の使用者は、操作部１２を操作することによって様々な指示（例えば、湯張り温度の設定、給湯温度の設定、追い焚き指示等）を入力することができる。特に、使用者は、電源スイッチ１３を操作することにより、浴室内操作入力部１０の電源をオンオフすることができる。表示部１４は、様々な情報を表示するためのディスプレイである。
【００３０】
無線Ｉ／Ｆ１６は、図示しないインターネットを介して、サーバ５０との間で無線通信（具体的にはＷｉ−Ｆｉ通信）を実行するためのＩ／Ｆである。有線Ｉ／Ｆ１８は、給湯手段３０の有線Ｉ／Ｆ３２（後述）、及び、台所リモコン１５０の有線Ｉ／Ｆ（本実施例では図示しない）と有線接続されており、給湯手段３０及び台所リモコン１５０との間で有線通信を実行するためのＩ／Ｆである。
【００３１】
制御部２０は、メモリ２２に記憶されているプログラムに従って、後述の設定制御処理（図７参照）を含む様々な処理を実行する。また、制御部２０は、操作部１２、表示部１４、無線Ｉ／Ｆ１６、有線Ｉ／Ｆ１８、及び、メモリ２２と電気的に接続されており、これらの各要素の動作を制御することができる。メモリ２２は、ＲＯＭ、ＲＡＭ、ハードディスク等によって構成される。メモリ２２は、様々なプログラムを記憶している。また、メモリ２２は、制御部２０が実行する処理に伴って取得される様々な情報を記憶する領域も有している。
【００３２】
本実施例では、制御部２０は、操作部１２の電源スイッチ１３における電源オンオフ操作の結果に基づいて、浴室内操作入力部１０の動作状態を、給湯手段３０に関する各種操作を入力可能な「操作可能状態」と、給湯手段３０に関する各種操作を入力不可能な「操作不可能状態」との間で切り替えることができる。本実施例では、電源スイッチ１３の操作によって浴室内操作入力部１０の電源がオンされている状態が「操作可能状態」に対応し、電源がオフされている状態（正確に言うと、浴室内操作入力部１０自体は通電しているが、使用者が操作を入力できない状態）が「操作不可能状態」に対応する。
【００３３】
「操作可能状態」及び「操作不可能状態」についてさらに説明する。浴室６内に使用者が存在している（入浴中である）場合、浴室内操作入力部１０の電源がオンされる。即ち、浴室６内に使用者が存在している（入浴中である）場合には、高い確率で、浴室内操作入力部１０の動作状態は「操作可能状態」である。一方、浴室６内に使用者が存在していない（入浴中でない）場合、浴室内操作入力部１０の電源はオフされる。なお、電源がオンされた後、所定期間（例えば３０分間）にわたり、浴室６内で給湯（即ち、浴槽８や給湯箇所９への給湯）、及び、浴室内操作入力部１０の操作のいずれも行われなかった場合にも、制御部２０は、浴室内操作入力部１０の電源を自動的にオフする。即ち、浴室６内に使用者が存在していない、若しくは使用者が存在していても入浴中ではない場合には、高い確率で、浴室内操作入力部１０の動作状態は「操作不可能状態」である。
【００３４】
なお、本実施例の「操作可能状態」及び「操作不可能状態」の例はあくまで一例であり、他の例では、「操作可能状態」及び「操作不可能状態」は、それぞれ他の任意の状態に対応していてもよい。例えば、「操作不可能状態」には浴室内操作入力部１０がスリープ状態である場合などを含んでもよい。
【００３５】
図１に示される給湯手段３０は、浴室６内の浴槽８及び給湯箇所９等、建物４内の各種給湯箇所に湯を供給するための具体的な給湯手段である。図２に示すように、給湯手段３０は、有線Ｉ／Ｆ３２と、熱源部３４と、給湯部３６と、制御部４０と、メモリ４２と、を備える。
【００３６】
有線Ｉ／Ｆ３２は、上記浴室内操作入力部１０の有線Ｉ／Ｆ１８と有線接続されており、浴室内操作入力部１０との間で有線通信を実行するためのＩ／Ｆである。変形例では、給湯手段３０は、有線Ｉ／Ｆ３２に代えて無線Ｉ／Ｆを備え、浴室内操作入力部との間で有線通信を実行可能であってもよい。熱源部３４は、水道水又は図示しない貯湯槽内の水を加熱して給湯用の湯を生成する部分である。熱源部３４は、図示しない公知の熱源（例えばヒートポンプユニット、バーナ加熱装置等）を含む。給湯部３６は、熱源部３４で生成された給湯用の湯を、浴室６内の浴槽８及び給湯箇所９（シャワー、カラン等）に供給する部分である。なお、給湯部３６は、建物４内の他の給湯箇所１１（例えば台所、洗面所等）にも湯を供給する。
【００３７】
制御部４０は、メモリ４２に記憶されているプログラムに従って、様々な処理を実行する。また、制御部４０は、有線Ｉ／Ｆ３２、熱源部３４、給湯部３６、及び、メモリ４２と電気的に接続されており、これらの各要素の動作を制御することができる。メモリ４２は、ＲＯＭ、ＲＡＭ、ハードディスク等によって構成される。メモリ４２は、様々なプログラムを記憶している。また、メモリ４２は、制御部４０が実行する処理に伴って取得される様々な情報を記憶する領域も有している。また、特に、メモリ４２は、給湯手段３０による給湯に関する各種設定を記憶する設定記憶領域４３も有している。給湯手段３０による給湯に関する各種設定は、例えば、浴槽８に供給する湯の温度である湯張り温度、浴槽８に供給する湯の量である湯張り量、給湯箇所に供給する湯の温度である給湯温度等を含む。制御部４０は、メモリ４２の設定記憶領域４３に記憶されている各種設定に従って、浴槽８及び給湯箇所９に湯が供給されるように、熱源部３４及び給湯部３６の動作を制御する。
【００３８】
本実施例では、メモリ４２の設定記憶領域４３に記憶される各種設定は、制御部４０が、有線Ｉ／Ｆ３２を介して浴室内操作入力部１０から受信する。本実施例では、使用者は、二通りの手法によってメモリ４２の設定記憶領域４３に設定を記憶させることができる。メモリ４２の設定記憶領域４３に設定を記憶させる手法については後で詳しく説明する。
【００３９】
台所リモコン１５０は、建物４内のうち、台所に設けられた機器である。台所リモコン１５０は、台所から給湯に関する様々な指示を入力可能な操作用機器である。台所リモコン１５０は、浴室内操作入力部１０と有線接続されており、浴室内操作入力部１０と相互に有線通信を実行可能である。
【００４０】
（サーバ５０の構成；図１、図３）
図１に示されるサーバ５０は、建物４外に設けられており、通信端末７０、音声入力装置９０、及び、浴室内操作入力部１０と無線通信を実行可能なサーバである。サーバ５０は、通信端末７０及び音声入力装置９０から、給湯手段３０による給湯に関する各種設定を行うための通信を中継するためのサーバである。変形例では、サーバ５０は、建物４内に設けられていてもよい。図３に示すように、サーバ５０は、無線Ｉ／Ｆ５２と、制御部５４と、メモリ５６とを備えている。
【００４１】
無線Ｉ／Ｆ５２は、図示しないインターネットを介して、通信端末７０、音声入力装置９０、及び、浴室内操作入力部１０との間で無線通信（具体的にはＷｉ−Ｆｉ通信）を実行するためのＩ／Ｆである。
【００４２】
制御部５４は、メモリ５６に記憶されているプログラムに従って、後述の中継処理（図６参照）を含む様々な処理を実行する。また、制御部５４は、無線Ｉ／Ｆ５２及びメモリ５６と電気的に接続されており、これらの各要素の動作を制御することができる。メモリ５６は、ＲＯＭ、ＲＡＭ、ハードディスク等によって構成される。メモリ５６は、様々なプログラムを記憶している。また、メモリ５６は、制御部５４が実行する処理に伴って取得される様々な情報を記憶する領域も有している。
【００４３】
（通信端末７０の構成；図１、図４）
図１に示される通信端末７０は、建物４外に設けられており、サーバ５０と無線通信を実行可能な端末装置である。本実施例では、通信端末７０は、例えば、スマートフォン、タブレット端末、携帯型ＰＣ等の携帯用端末装置である。通信端末７０は、使用者によって携帯されている。図１の例では、通信端末７０は、建物４外に配置されているが、通信端末７０は、建物４内に配置されていてもよい。また、変形例では、通信端末７０は、デスクトップＰＣ等の据え置き用端末装置であってもよい。通信端末７０は、使用者が、主に浴室６の外から、給湯手段３０による給湯に関する各種設定を行うための端末装置である。図４に示すように、通信端末７０は、操作部７２と、表示部７４と、無線Ｉ／Ｆ７６と、制御部８０と、メモリ８２とを備えている。
【００４４】
操作部７２は、複数個のキーを備える。表示部７４は、様々な情報を表示するためのディスプレイである。本実施例では、表示部７４はタッチ入力部として構成されており、操作部としても機能する。無線Ｉ／Ｆ７６は、図示しないインターネットを介して、サーバ５０との間で無線通信（具体的にはＷｉ−Ｆｉ通信）を実行するためのＩ／Ｆである。
【００４５】
制御部８０は、メモリ８２に記憶されているプログラムに従って様々な処理を実行する。また、制御部８０は、操作部７２、表示部７４、無線Ｉ／Ｆ７６、及び、メモリ８２と電気的に接続されており、これらの各要素の動作を制御することができる。メモリ８２は、ＲＯＭ、ＲＡＭ、ハードディスク等によって構成される。メモリ８２は、様々なプログラムを記憶している。また、メモリ８２は、制御部８０が実行する処理に伴って取得される様々な情報を記憶する領域も有している。
【００４６】
（音声入力装置９０の構成；図１、図５）
図１に示される音声入力装置９０は、建物４内に設けられており、サーバ５０と無線通信を実行可能な端末装置である。音声入力装置９０は、いわゆるスマートスピーカであり、操作部を介して操作を入力することなく、音声によって様々な指示を入力可能な端末装置である。図１の例では、音声入力装置９０は、建物４内に配置されているが、音声入力装置９０は、建物４外に配置されていてもよい。音声入力装置９０も、通信端末７０と同様に、使用者が、浴室６の外から、給湯手段３０による給湯に関する各種設定を行うための端末装置である。図５に示すように、音声入力装置９０は、マイク９２と、スピーカ９４と、無線Ｉ／Ｆ９６と、制御部１００と、メモリ１０２とを備えている。
【００４７】
マイク９２は、音声（例えば使用者の声等）を入力するための入力部である。使用者は、マイク９２に向かって話しかけることにより、様々な指示を音声入力装置９０に入力することができる。スピーカ９４は、音声（例えば音声入力装置９０が発する合成音声等）を出力するための出力部である。無線Ｉ／Ｆ９６は、図示しないインターネットを介して、サーバ５０との間で無線通信（具体的にはＷｉ−Ｆｉ通信）を実行するためのＩ／Ｆである。
【００４８】
制御部１００は、メモリ１０２に記憶されているプログラムに従って様々な処理を実行する。また、制御部１００は、マイク９２、スピーカ９４、無線Ｉ／Ｆ９６、及び、メモリ１０２と電気的に接続されており、これらの各要素の動作を制御することができる。メモリ１０２は、ＲＯＭ、ＲＡＭ、ハードディスク等によって構成される。メモリ１０２は、様々なプログラムを記憶している。また、メモリ１０２は、制御部１００が実行する処理に伴って取得される様々な情報を記憶する領域も有している。
【００４９】
（給湯手段３０のメモリ４２の設定記憶領域４３に設定を記憶させる手法）
上記の通り、本実施例の給湯システム２では、使用者は、以下に説明する第１の手法と第２の手法のうちのいずれかによって給湯手段３０のメモリ４２の設定記憶領域４３に所望の設定を記憶させることができる。
【００５０】
（第１の手法）
第１に、使用者は、浴室内操作入力部１０を直接操作することによって、メモリ４２の設定記憶領域４３に所望の設定を記憶させることができる。この場合、まず、使用者は、浴室内操作入力部１０を直接操作して所望の設定を入力する。使用者が浴室内操作入力部１０を直接操作して所望の設定を入力する場合、浴室内操作入力部１０の動作状態は操作可能状態（即ち電源オン）である。浴室内操作入力部１０の制御部２０は、入力された設定を示す設定関係情報を、有線Ｉ／Ｆ１８を介して給湯手段３０に送信する。本実施例では、設定関係情報は、例えば、湯張り温度、湯張り量、給湯温度、浴槽８内の湯を加熱する追い焚き運転を開始するための追い焚き開始指示、追い焚き運転の際の設定温度、のうちの少なくとも一つを含む。制御部４０は、有線Ｉ／Ｆ３２を介して浴室内操作入力部１０から設定関係情報を受信すると、受信した設定関係情報に含まれる各種設定（即ち、浴槽８に供給される湯の設定温度、浴槽８に供給される湯の設定量、給湯箇所９に供給される湯の設定温度等）をメモリ４２の設定記憶領域４３に記憶させる。また、制御部４０は、設定関係情報が追い焚き開始指示を含む場合、熱源部３４及び給湯部３６を作動させ、浴槽８内の湯を加熱する追い焚き運転を開始する。
【００５１】
（第２の手法）
第２に、使用者は、通信端末７０を操作して、上記の所望の設定を入力することによって、メモリ４２の設定記憶領域４３に所望の設定を記憶させることができる。この場合、通信端末７０の制御部８０は、入力された設定を示す設定関係情報を、無線Ｉ／Ｆ７６を介してサーバ５０に送信する。詳しくは後述するが、サーバ５０の制御部５４が後述の中継処理（図６参照）を実行するとともに、浴室内操作入力部１０の制御部２０が後述の設定制御処理（図７参照）を実行することによって、設定関係情報は、所定の条件に従ってサーバ５０及び浴室内操作入力部１０を経由して給湯手段３０に送信される。制御部４０は、有線Ｉ／Ｆ３２を介して浴室内操作入力部１０から設定関係情報を受信すると、受信した設定関係情報に含まれる各種設定を設定記憶領域４３に記憶させる。また、制御部４０は、設定関係情報が追い焚き開始指示を含む場合、浴槽８内の湯を加熱する追い焚き運転を開始する。
【００５２】
上記の第２の手法では、使用者は、通信端末７０を操作して所望の設定を入力することに代えて、音声入力装置９０に所望の設定を音声入力することによっても、メモリ４２の設定記憶領域４３に所望の設定を記憶させることができる。この場合、音声入力装置９０の制御部１００は、入力された設定を示す設定関係情報を、無線Ｉ／Ｆ９６を介してサーバ５０に送信する。この場合も、サーバ５０の制御部５４が後述の中継処理（図６参照）を実行するとともに、浴室内操作入力部１０の制御部２０が後述の設定制御処理（図７参照）を実行することによって、設定関係情報は、所定の条件に従ってサーバ５０及び浴室内操作入力部１０を経由して給湯手段３０に送信される。制御部４０は、有線Ｉ／Ｆ３２を介して浴室内操作入力部１０から設定関係情報を受信すると、受信した設定関係情報に含まれる各種設定をメモリ４２の設定記憶領域４３に記憶させる。また、制御部４０は、設定関係情報が追い焚き開始指示を含む場合、浴槽８内の湯を加熱する追い焚き運転を開始する。
【００５３】
上記の第１の手法のことを「浴室内設定」、第２の手法のことを「遠隔設定（または浴室外設定）」のように呼んでもよい。
【００５４】
続いて、本実施例の給湯システム２を用いて上記の遠隔設定（第２の手法）を実行する場合において、サーバ５０の制御部５４が実行する中継処理（図６参照）の内容、及び、浴室内操作入力部１０の制御部２０が実行する設定制御処理（図７参照）の内容について説明する。
【００５５】
（中継処理；図６）
図６は、サーバ５０の制御部５４が実行する中継処理の内容を示すフローチャートである。中継処理は、本実施例の給湯システム２を用いて上記の遠隔設定（第２の手法）を実行する場合において、通信端末７０（又は音声入力装置９０）から受信された設定関係情報を所定の条件に従って浴室内操作入力部１０に送信するための処理である。制御部５４は、サーバ５０の電源がオンされている間、図６の中継処理を繰り返し実行している。
【００５６】
Ｓ１０では、制御部５４は、通信端末７０又は音声入力装置９０（以下では纏めて「通信端末７０等」と呼ぶ場合がある）から、無線Ｉ／Ｆ５２を介して、使用者の所望の設定を示す設定関係情報を受信することを監視する。上記の通り、使用者は、通信端末７０を操作して所望の設定を入力する（若しくは音声入力装置９０に所望の設定を音声入力する）ことができる。その場合、通信端末７０等は、入力された設定を示す設定関係情報を生成し、サーバ５０に対して送信する。制御部５４は、無線Ｉ／Ｆ５２を介して、通信端末７０等から送信された設定関係情報を受信する。この場合、制御部５４は、Ｓ１０でＹＥＳと判断してＳ１２に進む。
【００５７】
Ｓ１２では、制御部５４は、この時点における浴室内操作入力部１０の動作状態が操作不可能状態（即ち電源オフ）であるか否かを判断する。具体的には、Ｓ１２では、制御部５４は、無線Ｉ／Ｆ５２を介して浴室内操作入力部１０と無線通信を実行し、浴室内操作入力部１０から浴室内操作入力部１０の動作状態を示す状態情報を受信する。浴室内操作入力部１０から受信された状態情報が「操作不可能状態」を示す場合、制御部５４は、Ｓ１２でＹＥＳと判断し、Ｓ１４に進む。一方、浴室内操作入力部１０から受信された状態情報が「操作可能状態」を示す場合、制御部５４は、Ｓ１２でＮＯと判断し、Ｓ１８に進む。
【００５８】
Ｓ１４では、制御部５４は、Ｓ１０で通信端末７０等から受信された設定関係情報を、無線Ｉ／Ｆ５２を介して、浴室内操作入力部１０に送信する。これにより、浴室内操作入力部１０を介して給湯手段３０に設定関係情報が送信される（後述の図７参照）。そして、設定関係情報に含まれる各種設定（即ち、使用者が通信端末７０等に入力した所望の設定）が、メモリ４２の設定記憶領域４３に記憶され得る。また、設定関係情報が追い焚き指示を含む場合、追い焚き運転が開始され得る。
【００５９】
続くＳ１６では、制御部５４は、設定が設定記憶領域４３に記憶される（即ち設定が反映される）ことを示す実行報知信号を、無線Ｉ／Ｆ５２を介して、Ｓ１０で受信された設定関係情報の送信元である通信端末７０等に対して送信する。この結果、実行報知信号を受信した通信端末７０等は、設定が反映されることに関係する所定の実行報知動作を行う。実行報知動作は、様々な動作を含む。例えば、通信端末７０の制御部８０は、実行報知信号（Ｓ１６）を受信すると、表示部７４に設定が反映されることに関係するメッセージを表示部７４に表示させてもよい。特に、制御部８０は、送信した設定関係情報が追い焚き指示を含んでいた場合に、実行報知信号（Ｓ１６）を受信すると、表示部７４に、追い焚き運転が開始されることに関係するメッセージを表示させてもよい。また、音声入力装置９０の制御部１００は、実行報知信号（Ｓ１６）を受信すると、スピーカ９４から、設定が反映されることに関係する音声メッセージを出力させてもよい。Ｓ１６の処理を終えると、制御部５４は、再びＳ１０の監視に戻る。
【００６０】
一方、Ｓ１８では、制御部５４は、Ｓ１０で受信された設定関係情報を、浴室内操作入力部１０に送信することなく待機する。この際、制御部５４は、Ｓ１０で受信された設定関係情報をメモリ５６に一時記憶させる。
【００６１】
続くＳ１９では、制御部５４は、設定が設定記憶領域４３に記憶されていない（即ち設定が未反映である）ことを示す保留報知信号を、無線Ｉ／Ｆ５２を介して、Ｓ１０で受信された設定関係情報の送信元である通信端末７０等に対して送信する。この結果、実行報知信号を受信した通信端末７０等は、設定が未反映であることに関係する所定の保留報知動作を行う。保留報知動作も、上記の実行報知動作と同様に、様々な動作を含む。例えば、通信端末７０の制御部８０は、保留報知信号（Ｓ１９）を受信すると、表示部７４に設定が未反映であることに関係するメッセージを表示部７４に表示させてもよい。特に、制御部８０は、送信した設定関係情報が追い焚き指示を含んでいた場合に、保留報知信号（Ｓ１９）を受信すると、表示部７４に、追い焚き運転がまだ開始されないことに関係するメッセージを表示させてもよい。また、音声入力装置９０の制御部１００は、保留報知信号（Ｓ１６）を受信すると、スピーカ９４から、設定が未反映であることに関係する音声メッセージを出力させてもよい。Ｓ１９の処理を終えると、制御部５４は、再びＳ１２に戻り、浴室内操作入力部１０の動作状態が操作不可能状態（即ち電源オフ）であるか否かを判断する。
【００６２】
即ち、制御部５４は、浴室内操作入力部１０の動作状態が操作可能状態（即ち電源オン）から操作不可能状態（即ち電源オフ）に切り替わる（即ちＳ１２でＹＥＳと判断される）まで、Ｓ１２、Ｓ１８、Ｓ１９、の各処理を繰り返し実行する。この際、二度目以降のＳ１９では、制御部５４は、保留報知信号の送信を省略する。その後、浴室内操作入力部１０の動作状態が操作可能状態（即ち電源オン）から操作不可能状態（即ち電源オフ）に切り替わると、制御部５４は、Ｓ１２でＹＥＳと判断し、上記のＳ１４、Ｓ１６の各処理を実行し、その後Ｓ１０の監視に戻る。
【００６３】
このように、制御部５４は、サーバ５０の電源がオンされている間、上記のＳ１０〜Ｓ１９の各処理を繰り返し実行する。
【００６４】
（設定制御処理；図７）
図７は、浴室内操作入力部１０の制御部２０が実行する設定制御処理の内容を示すフローチャートである。設定制御処理は、本実施例の給湯システム２を用いて上記の遠隔設定（第２の手法）を実行する場合において、サーバ５０から受信された設定関係情報（図６のＳ１４参照）が示す設定を反映させる（即ち設定記憶領域４３に記憶させる）ための処理である。制御部２０は、浴室内操作入力部１０に通電されている間、動作状態が操作可能状態であるか操作不可能状態であるかに関わらず（即ち、電源がオンであるか否かに関わらず）、図７の設定制御処理を繰り返し実行している。
【００６５】
Ｓ２０では、制御部２０は、サーバ５０から、無線Ｉ／Ｆ１６を介して、設定関係情報を受信することを監視する。上記の通り、サーバ５０の制御部５４は、浴室内操作入力部１０の動作状態が操作不可能状態である場合に、通信端末７０等から受信した設定関係情報を浴室内操作入力部１０に送信することができる（図６のＳ１４参照）。サーバ５０の制御部５４は、浴室内操作入力部１０の動作状態が操作可能状態である間は、設定関係情報を浴室内操作入力部１０に送信しない（図６のＳ１８参照）。制御部２０は、動作状態が操作不可能状態である間に、浴室内操作入力部１０から設定関係情報を受信すると、Ｓ２０でＹＥＳと判断し、Ｓ２２に進む。
【００６６】
Ｓ２２では、制御部２０は、サーバ５０から受信された設定関係情報に含まれる各種設定を設定記憶領域４３に記憶させる（即ち設定を反映させる）ための反映処理を実行する。Ｓ２２で実行される反映処理は、以下の各処理を含む。具体的には、まず、制御部２０は、サーバ５０から受信された設定関係情報を、有線Ｉ／Ｆ１８を介して給湯手段３０に送信する。給湯手段３０の制御部４０は、浴室内操作入力部１０から受信した設定関係情報に含まれる各種設定を設定記憶領域４３に記憶させる。この際、制御部４０は、既に設定記憶領域４３に記憶されている各種設定を削除し、浴室内操作入力部１０から受信した設定関係情報に含まれる各種設定を新たに記憶させる（即ち上書きする）。また、設定関係情報が追い焚き指示を含む場合には、制御部４０は、追い焚き運転を開始する。その後、制御部４０は、所定の設定完了通知を、有線Ｉ／Ｆ３２を介して浴室内操作入力部１０に送信する。浴室内操作入力部１０の制御部２０は、有線Ｉ／Ｆ１８を介して設定完了通知を受信する。以上の各処理が実行されることにより、Ｓ２２の反映処理が完了する。Ｓ２２で反映処理を実行すると、制御部２０は、Ｓ２０に戻り、再びサーバ５０から設定関係情報を受信することを監視する。制御部２０は、浴室内操作入力部１０に通電されている間、上記のＳ２０、Ｓ２２の処理を繰り返し実行している。
【００６７】
以上、本実施例の給湯システム２の構成及び動作について説明した。上記の通り、浴室内操作入力部１０の動作状態が操作可能状態である場合は、浴室６内に使用者がいる（即ち入浴者がいる）可能性が高い。本実施例では、サーバ５０の制御部５４は、通信端末７０等から設定関係情報が受信される際における浴室内操作入力部１０の動作状態が操作可能状態である場合（図６のＳ１２でＮＯ）には、浴室内操作入力部１０に設定関係情報を送信しない（Ｓ１８）。そして、浴室内操作入力部１０の制御部２０は、浴室内操作入力部１０の動作状態が操作可能状態である場合、サーバ５０から設定関係情報を受信しないため、反映処理を実行しない。そのため、本実施例によると、浴室６内に使用者がいる可能性が高い状況で、浴室６内の使用者が意図しないタイミングで反映処理が実行される事態が生じることを抑制することができる。その結果、浴室６内の使用者の入浴中に給湯温度が急に変化する等、浴室６内の使用者が意図しない不都合が生じるおそれを抑制することができる。
【００６８】
一方、浴室内操作入力部１０の動作状態が操作不可能状態である場合は、浴室６内に使用者がいる（即ち入浴者がいる）可能性は低い。本実施例では、サーバ５０の制御部５４は、通信端末７０等から設定関係情報が受信される際における浴室内操作入力部１０の動作状態が操作不可能状態である場合（図６のＳ１２でＹＥＳ）には、浴室内操作入力部１０に設定関係情報を送信する（Ｓ１４）。そして、浴室内操作入力部１０の制御部２０は、浴室内操作入力部１０の動作状態が操作不可能状態である場合、サーバ５０から設定関係情報を受信し（図７のＳ２０でＹＥＳ）、反映処理を実行する（Ｓ２２）。そのため、本実施例によると、浴室６内に使用者がいる可能性が低い状況では、反映処理が実行される。そのため、浴室６内に使用者がいる可能性が低いにも関わらず、通信端末７０等を用いて給湯手段３０に設定を反映できない事態が生じるおそれを抑制することもできる。従って、本実施例の給湯システム２によると、使用者の意図と異なる不都合が生じる事態の発生を抑制することができる。
【００６９】
本実施例では、本実施例では、設定関係情報は、例えば、浴槽８に供給される湯の設定温度、給湯箇所９（例えばシャワー等）に供給される湯の設定温度、浴槽８内の湯を加熱する追い焚き運転を開始するための追い焚き開始指示、のうちの少なくとも一つを含む。そのため、本実施例では、浴室６内の使用者（即ち入浴者）の意図に反して浴槽８内の湯の温度が変更される、給湯箇所９から出る湯の温度が変更される、等の不都合が生じることを適切に抑制することができる。
【００７０】
また、本実施例では、給湯システム２は、通信端末７０等と浴室内操作入力部１０を中継するサーバ５０を備えている。サーバ５０の制御部５４は、通信端末７０等から設定関係情報が受信される際における浴室内操作入力部１０の動作状態が操作不可能状態である場合（図６のＳ１２でＹＥＳ）には、浴室内操作入力部１０に設定関係情報を送信する（Ｓ１４）。制御部５４は、通信端末７０等から設定関係情報が受信される際における浴室内操作入力部１０の動作状態が操作可能状態である場合（Ｓ１２でＮＯ）には、浴室内操作入力部１０に設定関係情報を送信しない（Ｓ１８）。制御部５４は、その後浴室内操作入力部１０の動作状態が操作可能状態から操作不可能状態に移行する場合（Ｓ１２でＹＥＳ）に、浴室内操作入力部１０に設定関係情報を送信する（Ｓ１４）。そのため、通信端末７０等の使用者は、所望の設定を入力した際に浴室内操作入力部１０の動作状態が操作可能状態であったとしても、同様の設定を反映するために同じ入力を行う必要がない。通信端末７０等の使用者の操作の手間を低減させることができる。
【００７１】
また、本実施例の給湯システム２は、音声入力装置９０を備え、使用者は、端末装置を手で操作することなく、音声によって所望の設定を入力することができる。使用者にとって高い利便性が実現される。
【００７２】
本実施例では、制御部５４は、浴室内操作入力部１０に設定関係情報を送信すると（図６のＳ１４）、実行報知信号を設定関係情報の送信元である通信端末７０等に対して送信する（Ｓ１６）。実行報知信号を受信した通信端末７０等は、設定が反映されることに関係する所定の実行報知動作を行う。これにより、通信端末７０等の使用者は、自身が建物４内にいない場合であっても、自身が通信端末７０等を用いて入力した設定が給湯手段３０に反映されることを知ることができる。
【００７３】
さらに、本実施例では、制御部５４は、浴室内操作入力部１０に設定関係情報を送信せずに待機する場合（Ｓ１８）、保留報知信号を設定関係情報の送信元である通信端末７０等に対して送信する（Ｓ１９）。保留報知信号を受信した通信端末７０等は、設定が未反映であることに関係する所定の保留報知動作を行う。これにより、通信端末７０等の使用者は、自身が建物４内にいない場合であっても、自身が通信端末７０等を用いて入力した設定が給湯手段３０にまだ反映されていないことを知ることができる。
【００７４】
本実施例と請求項の記載の対応関係を説明しておく。サーバ５０が「制御手段」の一例である。通信端末７０及び音声入力装置９０が「端末装置」の一例である。図６のＳ１４で実行される設定関係情報の送信が「遠隔設定処理」及び「設定関係情報送信処理」の一例である。
【００７５】
（第２実施例）
図８、図９を参照して、第２実施例の給湯システム２０２の構成及び動作について、第１実施例と異なる点を中心に説明する。図８に示す本実施例の給湯システム２０２は、サーバ５０（図１参照）に代えて、通信端末７０等と浴室内操作入力部１０を中継する台所リモコン２５０を備えている点が第１実施例とは異なる。なお変形例では、給湯システム２０２は第１実施例のサーバ５０を備えていてもよく、通信端末７０等はサーバ５０及び台所リモコン２５０を介して浴室内操作入力部１０と通信可能であってもよい。
【００７６】
（台所リモコン２５０の構成；図８、図９）
図８に示される台所リモコン２５０の基本的構成は、第１実施例の台所リモコン１５０と同様である。台所リモコン２５０は、建物４内のうち、台所に設けられた機器であり、通信端末７０、音声入力装置９０、及び、浴室内操作入力部１０と無線通信を実行可能な機器である。変形例では、台所リモコン２５０は、台所に限らず、建物４内のうち、浴室６外の位置であれば任意の位置に設けられていてもよい。図９に示すように、台所リモコン２５０は、操作部２５２と、表示部２５４と、無線Ｉ／Ｆ２５６と、有線Ｉ／Ｆ２５８と、制御部２６０と、メモリ２６２とを備えている。
【００７７】
操作部２５２は、複数個のボタンを備える。使用者は、操作部２５２を操作することによって様々な指示（例えば、浴槽８に供給する湯の温度（いわゆる湯張り温度）の設定、給湯箇所９に供給する湯の温度（いわゆる給湯温度）の設定、浴槽８内の湯の加熱のための追い焚き指示、等）を入力することができる。表示部２５４は、様々な情報を表示するためのディスプレイである。
【００７８】
無線Ｉ／Ｆ２５６は、図示しないインターネットを介して、通信端末７０及び音声入力装置９０との間で無線通信（具体的にはＷｉ−Ｆｉ通信）を実行するためのＩ／Ｆである。有線Ｉ／Ｆ２５８は、浴室内操作入力部１０の有線Ｉ／Ｆ１８と有線接続されており、浴室内操作入力部１０との間で有線通信を実行するためのＩ／Ｆである。なお、台所リモコン２５０は、無線Ｉ／Ｆ２５６を介して、浴室内操作入力部１０との間で無線通信を実行可能であってもよい。
【００７９】
制御部２６０は、メモリ２６２に記憶されているプログラムに従って、図６の中継処理を含む様々な処理を実行する。また、制御部２６０は、操作部２５２、表示部２５４、無線Ｉ／Ｆ２５６、有線Ｉ／Ｆ２５８、及び、メモリ２６２と電気的に接続されており、これらの各要素の動作を制御することができる。メモリ２６２は、ＲＯＭ、ＲＡＭ、ハードディスク等によって構成される。メモリ２６２は、様々なプログラムを記憶している。また、メモリ２６２は、制御部２６０が実行する処理に伴って取得される様々な情報を記憶する領域も有している。
【００８０】
本実施例では、通信端末７０等は、設定関係情報を、台所リモコン２５０に対して送信する。そして、本実施例では、サーバ５０の制御部５４に代えて、台所リモコン２５０の制御部２６０が図６の中継処理を実行する。中継処理の内容は第１実施例の中継処理と同様であるため、詳しい説明は省略する。
【００８１】
また、浴室内操作入力部１０の制御部２０が実行する設定制御処理（図７参照）の内容も第１実施例と基本的に同様である。Ｓ２０において、制御部２０が、台所リモコン２５０から設定関係情報を受信することを監視する点のみが第１実施例とは異なる。
【００８２】
以上、本実施例の給湯システム２０２の構成及び動作について説明した。本実施例の給湯システム２０２も、基本的には、第１実施例の給湯システム２と同様の作用効果を発揮することができる。本実施例の台所リモコン２５０が「制御手段」及び「浴室外機器」の一例である。また、図６のＳ１４で実行される設定関係情報の送信が「遠隔設定処理」及び「設定関係情報送信処理」の一例である。
【００８３】
（第３実施例）
図１０、図１１を参照して、第３実施例の給湯システム３０２の構成及び動作について、第１実施例と異なる点を中心に説明する。図１０に示す本実施例の給湯システム３０２は、浴室内操作入力部１０と、通信端末７０等とが、サーバ５０（図１参照）等の中継機器を介さずに直接無線通信を実行可能である点が第１実施例とは異なる。
【００８４】
そのため、本実施例では、通信端末７０等は、設定関係情報を浴室内操作入力部１０に対して送信する。
【００８５】
（設定制御処理；図１１）
さらに、本実施例では、浴室内操作入力部１０の制御部２０が実行する設定制御処理の内容も第１実施例とは異なる。図１１を参照して、本実施例の制御部２０が実行する設定制御処理の内容を説明する。
【００８６】
Ｓ４０では、制御部２０は、通信端末７０等から、無線Ｉ／Ｆ１６を介して、設定関係情報を受信することを監視する。上記の通り、通信端末７０等は、使用者によって入力された設定を示す設定関係情報を浴室内操作入力部１０に対して送信する。制御部２０は、無線Ｉ／Ｆ１６を介して、通信端末７０等から送信された設定関係情報を受信する。この場合、制御部２０は、Ｓ４０でＹＥＳと判断してＳ４２に進む。
【００８７】
Ｓ４２では、制御部２０は、この時点における浴室内操作入力部１０の動作状態が操作不可能状態（即ち電源オフ）であるか否かを判断する。制御部２０は、自機の動作状態が操作不可能状態である場合にＳ４２でＹＥＳと判断し、Ｓ４４に進む。一方、制御部２０は、自機の動作状態が操作不可能状態である場合にＳ４２でＮＯと判断し、Ｓ４８に進む。
【００８８】
Ｓ４４では、制御部２０は、通信端末７０等から受信された設定関係情報に含まれる各種設定を設定記憶領域４３に記憶させる（即ち設定を反映させる）ための反映処理を実行する。Ｓ４４で実行される反映処理の内容は、図７のＳ２２で実行される反映処理と同様であるため、詳しい説明は省略する。
【００８９】
Ｓ４４で反映処理を実行すると、制御部２０は、Ｓ４６に進み、設定が設定記憶領域４３に記憶される（即ち設定が反映される）ことを示す実行報知信号を、無線Ｉ／Ｆ１６を介して、Ｓ４０で受信された設定関係情報の送信元である通信端末７０等に対して送信する。この結果、実行報知信号を受信した通信端末７０等は、設定が反映されることに関係する所定の実行報知動作を行う。Ｓ４６の処理を終えると、制御部２０は、再びＳ２０の監視に戻る。
【００９０】
一方、Ｓ４８では、制御部２０は、Ｓ４０で受信された設定関係情報に基づく反映処理を実行することなく待機する。この際、制御部２０は、Ｓ４０で受信された設定関係情報をメモリ２２に一時記憶させる。
【００９１】
続くＳ５０では、制御部２０は、設定が設定記憶領域４３に記憶されていない（即ち設定が未反映である）ことを示す保留報知信号を、無線Ｉ／Ｆ１６を介して、Ｓ４０で受信された設定関係情報の送信元である通信端末７０等に対して送信する。この結果、実行報知信号を受信した通信端末７０等は、設定が未反映であることに関係する所定の保留報知動作を行う。Ｓ５０の処理を終えると、制御部２０は、再びＳ４２に戻り、浴室内操作入力部１０の動作状態が操作不可能状態（即ち電源オフ）であるか否かを判断する。
【００９２】
即ち、制御部２０は、浴室内操作入力部１０の動作状態が操作可能状態（即ち電源オン）から操作不可能状態（即ち電源オフ）に切り替わる（即ちＳ４２でＹＥＳと判断される）まで、Ｓ４２、Ｓ４８、Ｓ５０、の各処理を繰り返し実行する。この際、二度目以降のＳ５０では、制御部５４は、保留報知信号の送信を省略する。その後、浴室内操作入力部１０の動作状態が操作可能状態（即ち電源オン）から操作不可能状態（即ち電源オフ）に切り替わると、制御部２０は、Ｓ４２でＹＥＳと判断し、上記のＳ４４、Ｓ４６の各処理を実行し、その後Ｓ４０の監視に戻る。
【００９３】
このように、制御部２０は、浴室内操作入力部１０に通電されている間、上記のＳ４０〜Ｓ５０の各処理を繰り返し実行する。
【００９４】
以上、本実施例の給湯システム３０２の構成及び動作について説明した。本実施例の給湯システム３０２も、基本的には、第１実施例の給湯システム２と同様の作用効果を発揮することができる。ただし、本実施例では、通信端末７０等と浴室内操作入力部１０との間の通信を中継するサーバ５０（図１参照）等の中継機器が省略されている。中継機器の設置の負担がないため、システム構成を簡易化させることができる。また、本実施例では、浴室内操作入力部１０の制御部２０は、設定関係情報が受信される際（Ｓ４０でＹＥＳ）に浴室内操作入力部１０の動作状態が操作可能状態である場合（Ｓ４２でＮＯ）には反映処理を実行しない（Ｓ４８）が、その後浴室内操作入力部１０の動作状態が操作不可能状態に移行する場合（Ｓ４２でＹＥＳ）に反映処理を実行する（Ｓ４４）ことができる。そのため、通信端末７０等の使用者は、所望の設定を入力した際に浴室内操作入力部１０の動作状態が操作可能状態であったとしても、同様の設定を反映するために同じ入力操作を行う必要がない。通信端末７０等の使用者の操作の手間を低減させることができる。本実施例の図１１のＳ４４で実行される反映処理が「遠隔設定処理」の一例である。また、浴室内操作入力部１０が「制御手段」の一例である。
【００９５】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００９６】
（変形例１ａ）上記の第１実施例では、サーバ５０の制御部５４は、通信端末７０等から設定関係情報が受信される際における浴室内操作入力部１０の動作状態が操作可能状態である場合（図６のＳ１２でＮＯ）には、浴室内操作入力部１０に設定関係情報を送信せず（Ｓ１８）、その後浴室内操作入力部１０の動作状態が操作可能状態から操作不可能状態に移行する場合（Ｓ１２でＹＥＳ）に、浴室内操作入力部１０に設定関係情報を送信する（Ｓ１４）。これに限られず、制御部５４は、通信端末７０等から設定関係情報が受信される際における浴室内操作入力部１０の動作状態が操作可能状態である場合には、浴室内操作入力部１０に設定関係情報を送信せず、かつ、その後浴室内操作入力部１０の動作状態が操作可能状態から操作不可能状態に移行し、さらにその後浴室内操作入力部１０の動作状態が再び操作可能状態に移行する場合に、浴室内操作入力部１０に設定関係情報を送信するようにしてもよい。一般的に言うと、「サーバは、遠隔設定処理として、設定関係情報を給湯装置に送信する設定関係情報送信処理を実行可能であり、設定関係情報が受信される際における浴室内操作入力部の動作状態が操作可能状態である場合には、設定関係情報送信処理を実行せず、その後浴室内操作入力部の動作状態が操作不可能状態に移行する場合に設定関係情報送信処理を実行」すればよい。
【００９７】
（変形例１ｂ）同様に、第２実施例においても、台所リモコン２５０の制御部２６０は、通信端末７０等から設定関係情報が受信される際における浴室内操作入力部１０の動作状態が操作可能状態である場合には、浴室内操作入力部１０に設定関係情報を送信せず、かつ、その後浴室内操作入力部１０の動作状態が操作可能状態から操作不可能状態に移行し、さらにその後浴室内操作入力部１０の動作状態が再び操作可能状態に移行する場合に、浴室内操作入力部１０に設定関係情報を送信するようにしてもよい。一般的に言うと、「浴室外機器は、遠隔設定処理として、設定関係情報を給湯装置に送信する設定関係情報送信処理を実行可能であり、設定関係情報が受信される際における浴室内操作入力部の動作状態が操作可能状態である場合には、設定関係情報送信処理を実行せず、その後浴室内操作入力部の動作状態が操作不可能状態に移行する場合に設定関係情報送信処理を実行」すればよい。
【００９８】
（変形例１ｃ）同様に、第３実施例においても、浴室内操作入力部１０の制御部２０は、通信端末７０等から設定関係情報が受信される際における浴室内操作入力部１０の動作状態が操作可能状態である場合には、反映処理を実行せず、かつ、その後浴室内操作入力部１０の動作状態が操作可能状態から操作不可能状態に移行し、さらにその後浴室内操作入力部１０の動作状態が再び操作可能状態に移行する場合に、反映処理を実行するようにしてもよい。一般的に言うと、「制御部は、端末装置から設定関係情報を受信し、設定関係情報が受信される際における浴室内操作入力部の動作状態が操作可能状態である場合には、遠隔設定処理を実行せず、その後浴室内操作入力部の動作状態が操作不可能状態に移行する場合に遠隔設定処理を実行」すればよい。
【００９９】
（変形例２ａ）第１実施例において、サーバ５０の制御部５４は、通信端末７０等から設定関係情報が受信される際における浴室内操作入力部１０の動作状態が操作可能状態である場合に、浴室内操作入力部１０に設定関係情報を送信してもよい。その場合、浴室内操作入力部１０の制御部２０は、その後浴室内操作入力部１０の動作状態が操作可能状態から操作不可能状態に移行する場合に、反映処理を実行するようにしてもよい。この場合、設定関係情報は、一時的にメモリ２２に記憶される。
【０１００】
（変形例２ｂ）同様に、第２実施例においても、台所リモコン２５０の制御部２６０は、通信端末７０等から設定関係情報が受信される際における浴室内操作入力部１０の動作状態が操作可能状態である場合に、浴室内操作入力部１０に設定関係情報を送信してもよい。
【０１０１】
（変形例２ｃ）同様に、第３実施例においても、浴室内操作入力部１０の制御部２０は、通信端末７０等から設定関係情報が受信される際における浴室内操作入力部１０の動作状態が操作可能状態である場合に、給湯手段３０に設定関係情報を送信してもよい。ただし、その場合、給湯手段３０の制御部４０は、浴室内操作入力部１０の動作状態が操作可能状態である間は、受信した設定関係情報に含まれる各種設定をメモリ４２の一時記憶領域に記憶させ、設定記憶領域４３に記憶させないようにしてもよい。また、制御部４０は、設定関係情報が追い焚き指示を含む場合は、追い焚き運転を開始させないようにしてもよい。制御部４０は、その後浴室内操作入力部１０の動作状態が操作可能状態から操作不可能状態に移行する場合に、受信した設定関係情報に含まれる各種設定を設定記憶領域４３に記憶させるようにしてもよい。この場合、制御部４０は、設定関係情報が追い焚き指示を含む場合に、追い焚き運転を開始させてもよい。
【０１０２】
（変形例３ａ）第１実施例において、サーバ５０の制御部５４は、浴室内操作入力部１０に代えて、給湯手段３０に対して設定関係情報を送信してもよい。給湯手段３０の制御部４０は、サーバ５０から受信された設定関係情報に含まれる各種設定を設定記憶領域４３に記憶させるようにしてもよい。即ち、本変形例では、浴室内操作入力部１０の制御部２０に代えて、給湯手段３０の制御部４０が、図７の設定制御処理を実行してもよい。本変形例における給湯手段３０の制御部４０が「制御手段」の一例である。
【０１０３】
（変形例３ｂ）同様に、第２実施例においても、台所リモコン２５０の制御部２６０は、浴室内操作入力部１０に代えて、給湯手段３０に対して設定関係情報を送信してもよい。この場合も、給湯手段３０の制御部４０は上記の変形例３ａと同様の処理を実行してもよい。
【０１０４】
（変形例３ｃ）また、第３実施例において、通信端末７０等は、浴室内操作入力部１０に代えて、給湯手段３０に対して設定関係情報を送信してもよい。この場合、給湯手段３０の制御部４０が、図１１の設定制御処理に相当する処理を実行してもよい。この場合、制御部４０は、浴室内操作入力部１０の動作状態を参照し、動作状態が操作不可能状態である場合に、通信端末７０等から受信された設定関係情報に含まれる各種設定を設定記憶領域４３に記憶させるようにしてもよい。
【０１０５】
（変形例４）第２実施例において、台所リモコン２５０に代えて、同様の機能を発揮可能な他のデバイス（例えばレンジフード等）を建物４内に設けてもよい。
【０１０６】
本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０７】
２      ：給湯システム
４      ：建物
５      ：給湯装置
６      ：浴室
８      ：浴槽
９      ：給湯箇所
１０    ：浴室内操作入力部
１１    ：給湯箇所
１２    ：操作部
１３    ：電源スイッチ
１４    ：表示部
１６    ：無線Ｉ／Ｆ
１８    ：有線Ｉ／Ｆ
２０    ：制御部
２２    ：メモリ
３０    ：給湯手段
３２    ：有線Ｉ／Ｆ
３４    ：熱源部
３６    ：給湯部
４０    ：制御部
４２    ：メモリ
４３    ：設定記憶領域
５０    ：サーバ
５２    ：無線Ｉ／Ｆ
５４    ：制御部
５６    ：メモリ
７０    ：通信端末
７２    ：操作部
７４    ：表示部
７６    ：無線Ｉ／Ｆ
８０    ：制御部
８２    ：メモリ
９０    ：音声入力装置
９２    ：マイク
９４    ：スピーカ
９６    ：無線Ｉ／Ｆ
１００  ：制御部
１０２  ：メモリ
１５０  ：台所リモコン
２０２  ：給湯システム
２５０  ：台所リモコン
２５２  ：操作部
２５４  ：表示部
２５６  ：無線Ｉ／Ｆ
２６０  ：制御部
２６２  ：メモリ
３０２  ：給湯システム
【図１】
2020106173.tif 000003
【図２】
2020106173.tif 000004
【図３】
2020106173.tif 000005
【図４】
2020106173.tif 000006
【図５】
2020106173.tif 000007
【図６】
2020106173.tif 000008
【図７】
2020106173.tif 000009
【図８】
2020106173.tif 000010
【図９】
2020106173.tif 000011
【図１０】
2020106173.tif 000012
【図１１】
2020106173.tif 000013